(57)【特許請求の範囲】
【請求項１】
筐体と、
前記筐体内に配置され、所定の情報を表示する表示部と、
前記表示部の表示を透過するとともに、所定の導電性を有する指示体によって指示された二次元座標を判定する、静電容量方式のタッチパネル部と、
前記タッチパネル部に重ねて配置され、前記表示部の表示を透過する透明部材と、
前記透明部材の歪み量を検出する押圧検出部と、を備え、
前記タッチパネル部は、少なくとも０（ゼロ）より大きくかつ所定の距離より小さい距離離れた前記指示体によって指示された前記二次元座標を判定可能である、電子機器であって、
前記タッチパネル部が、少なくとも０（ゼロ）より大きくかつ所定の距離より小さい距離離れた前記指示体によって指示された前記二次元座標を判定する場合で、かつ少なくとも前記歪み量が所定の値より大きい場合、前記タッチパネル部が判定する前記二次元座標を有効化し、
前記有効化された二次元座標が、所定時間において所定の範囲外の移動である場合、前記歪み量の大小に拠らず、前記有効化された二次元座標を継続して有効化し、
その後に前記有効化された二次元座標が、前記所定時間において前記所定の範囲内の移動である場合、前記歪み量の大小に拠らず、前記有効化された二次元座標を無効化する、
及び、前記タッチパネル部が、少なくとも０（ゼロ）より大きくかつ前記所定の距離より小さい距離離れた前記指示体によって指示された前記二次元座標を判定する場合で、かつ少なくとも前記歪み量が前記所定の値より小さい場合、前記タッチパネル部が判定する前記二次元座標を無効化する、
電子機器。
【請求項２】
請求項１に記載の電子機器であって、
前記タッチパネル部が、０（ゼロ）以上でかつ前記所定の距離より小さい距離離れた前記指示体によって指示された前記二次元座標を判定する場合で、かつ少なくとも前記歪み量が前記所定の値より小さい場合、前記タッチパネル部が判定する前記二次元座標を無効化する、
電子機器。
【請求項３】
請求項１又は請求項２に記載の電子機器であって、
前記有効化された二次元座標は、前記表示部に表示可能である、
電子機器。
【請求項４】
請求項１から請求項３のいずれか１項に記載の電子機器であって、
前記所定時間を第１の時間とし、
前記所定の範囲を第１の範囲とし、
前記有効化された二次元座標が、第２の時間において第２の範囲内の移動である場合、所定の動作を行い、
前記第１の時間は前記第２の時間より長い、
電子機器。
【請求項５】
請求項１から請求項４のいずれか１項に記載の電子機器であって、
前記押圧検出部は、圧電素子を用いて前記透明部材の歪み量を検出する、
電子機器。
【請求項６】
請求項５に記載の電子機器であって、
前記押圧検出部は、圧電フィルムを用いて前記透明部材の歪み量を検出する、
電子機器。
【請求項７】
請求項６に記載の電子機器であって、
前記圧電フィルムは、
前記表示部の、前記タッチパネル部と反対の面に配置された、
電子機器。
【請求項８】
筐体と、
前記筐体内に配置され、所定の情報を表示する表示部と、
前記表示部の表示を透過するとともに、所定の導電性を有する指示体によって指示された二次元座標を判定する、静電容量方式のタッチパネル部と、
前記タッチパネル部に重ねて配置され、前記表示部の表示を透過する透明部材と、
前記透明部材の歪み量を検出する押圧検出部と、を備え、
前記タッチパネル部は、少なくとも０（ゼロ）より大きくかつ所定の距離より小さい距離離れた前記指示体によって指示された前記二次元座標を判定可能である、電子機器において利用可能な制御方法であって、
前記タッチパネル部が、少なくとも０（ゼロ）より大きくかつ所定の距離より小さい距離離れた前記指示体によって指示された前記二次元座標を判定する場合で、かつ少なくとも前記歪み量が所定の値より大きい場合、前記タッチパネル部が判定する前記二次元座標を有効化し、
前記有効化された二次元座標が、所定時間において所定の範囲外の移動である場合、前記歪み量の大小に拠らず、前記有効化された二次元座標を継続して有効化し、
その後に前記有効化された二次元座標が、前記所定時間において前記所定の範囲内の移動である場合、前記歪み量の大小に拠らず、前記有効化された二次元座標を無効化する、
及び、前記タッチパネル部が、少なくとも０（ゼロ）より大きくかつ前記所定の距離より小さい距離離れた前記指示体によって指示された前記二次元座標を判定する場合で、かつ少なくとも前記歪み量が前記所定の値より小さい場合、前記タッチパネル部が判定する前記二次元座標を無効化する、
制御方法。
【請求項９】
電子機器にインストールされることで、請求項８に記載の制御方法を実行可能にするプログラム。
【発明の詳細な説明】
【技術分野】
【０００１】
本発明は、タッチパネルを搭載した電子機器および、この電子機器の制御方法、電子機器にインストールすることで、この制御方法を実行可能にするプログラム、及び、このプログラムをダウンロード可能に保存したサーバに関する。
【背景技術】
【０００２】
スマートフォンやタブレットなど、タッチパネルを搭載した電子機器が普及しているが、このような電子機器には、静電容量方式のタッチパネルを備えるものがある。この静電容量方式のタッチパネルは、その表面に素手の指が直接接触して行われる「タッチ操作」だけでなく、タッチパネル表面に素手の指が接触することなくその表面から所定の高さにある指で行われる「ホバー操作」も受け付けることができる。これにより、ユーザは、素手だけでなく、手袋をした指でも操作を行うことができる。
【０００３】
このような静電容量方式のタッチパネルに係る先行技術として、例えば、特許文献１に記載されている情報処理装置（以下、「先行技術１」という）がある。この先行技術１は、タッチパネルに対する指の近接量と、タッチパネルに加えられる圧力値とをそれぞれ検出し、それらが所定の条件を満たすか否かに応じてタッチ操作とホバー操作を区別するものである。
【０００４】
また、別の静電容量方式のタッチパネルに係る先行技術として、例えば、特許文献２に記載されているタッチスイッチ（以下、「先行技術２」という）がある。この先行技術２は、タッチパネルにおける検出値が第１閾値を超えた場合に「タッチ操作有り」と判定し、タッチパネルにおける検出値が第１閾値以下かつ第２閾値を超えた状態で一定時間が経過した場合に「ホバー操作有り」と判定するものである。
【先行技術文献】
【特許文献】
【０００５】
【特許文献１】特開２０１１−５３９７１号公報
【特許文献２】特開２００９−１８１２３２号公報
【発明の概要】
【発明が解決しようとする課題】
【０００６】
ところで、静電容量方式のタッチパネルでは、ホバー操作を検出するために、非常に微弱な容量値の変化を検出する。しかしながら、水滴（導電体の一例）がタッチパネルに付着した場合と、タッチパネルに対して実際にホバー操作が行われた場合とでは、検出される容量値の変化が近似している。その為、降雨などで水滴がタッチパネルに付着した場合、その付着をホバー操作の実行であると誤検出するおそれがある。
【課題を解決するための手段】
【０００７】
本発明の電子機器は、筐体と、前記筐体内に配置され、所定の情報を表示する表示部と、前記表示部の表示を透過するとともに、所定の導電性を有する指示体によって指示された二次元座標を判定する、静電容量方式のタッチパネル部と、  前記タッチパネル部に重ねて配置され、前記表示部の表示を透過する透明部材と、前記透明部材の歪み量を検出する押圧検出部と、を備え、前記タッチパネル部は、少なくとも０（ゼロ）より大きくかつ所定の距離より小さい距離離れた前記指示体によって指示された前記二次元座標を判定可能である、電子機器であって、前記タッチパネル部が、少なくとも０（ゼロ）より大きくかつ所定の距離より小さい距離離れた前記指示体によって指示された前記二次元座標を判定する場合で、かつ少なくとも前記歪み量が所定の値より大きい場合、前記タッチパネル部が判定する前記二次元座標を有効化し、前記有効化された二次元座標が、所定時間において所定の範囲外の移動である場合、前記歪み量の大小に拠らず、前記有効化された二次元座標を継続して有効化し、その後に前記有効化された二次元座標が、前記所定時間において前記所定の範囲内の移動である場合、前記歪み量の大小に拠らず、前記有効化された二次元座標を無効化する、及び、前記タッチパネル部が、少なくとも０（ゼロ）より大きくかつ前記所定の距離より小さい距離離れた前記指示体によって指示された前記二次元座標を判定する場合で、かつ少なくとも前記歪み量が前記所定の値より小さい場合、前記タッチパネル部が判定する前記二次元座標を無効化する。

【０００８】
本発明の制御方法は、筐体と、前記筐体内に配置され、所定の情報を表示する表示部と、前記表示部の表示を透過するとともに、所定の導電性を有する指示体によって指示された二次元座標を判定する、静電容量方式のタッチパネル部と、  前記タッチパネル部に重ねて配置され、前記表示部の表示を透過する透明部材と、前記透明部材の歪み量を検出する押圧検出部と、を備え、前記タッチパネル部は、少なくとも０（ゼロ）より大きくかつ所定の距離より小さい距離離れた前記指示体によって指示された前記二次元座標を判定可能である、電子機器において利用可能な制御方法であって、前記タッチパネル部が、少なくとも０（ゼロ）より大きくかつ所定の距離より小さい距離離れた前記指示体によって指示された前記二次元座標を判定する場合で、かつ少なくとも前記歪み量が所定の値より大きい場合、前記タッチパネル部が判定する前記二次元座標を有効化し、前記有効化された二次元座標が、所定時間において所定の範囲外の移動である場合、前記歪み量の大小に拠らず、前記有効化された二次元座標を継続して有効化し、その後に前記有効化された二次元座標が、前記所定時間において前記所定の範囲内の移動である場合、前記歪み量の大小に拠らず、前記有効化された二次元座標を無効化する、及び、前記タッチパネル部が、少なくとも０（ゼロ）より大きくかつ前記所定の距離より小さい距離離れた前記指示体によって指示された前記二次元座標を判定する場合で、かつ少なくとも前記歪み量が前記所定の値より小さい場合、前記タッチパネル部が判定する前記二次元座標を無効化する。
【０００９】
本発明のプログラムは、電子機器にインストールされることで、前記制御方法を実行可能にする。
【発明の効果】
【００３２】
本発明によれば、タッチパネルに水滴等の導電体が付着した状態において、素手での操作や手袋での操作について、水滴等による誤検出を抑制しつつ、適切に動作をさせることができる。
【図面の簡単な説明】
【００３３】
【図１】第１の実施の形態に係る電子機器の概略構成の一例を示すブロック図
【図２】第１の実施の形態に係る静電容量方式のタッチパネルの概略構成を示す図
【図３】第１の実施の形態に係るタッチパネルに指を徐々に近づけたときの検出状態を示す図
【図４】第１の実施の形態に係る電子機器における検出領域を示す図
【図５】第１の実施の形態に係る電子機器の前面の外観の一例を示す斜視図
【図６】第１の実施の形態に係る電子機器におけるガラス、タッチパネル層、押圧センサおよび表示部の第１の配置例を示す図
【図７Ａ】第１の実施の形態に係る電子機器における押圧センサの第１の配置例を示す図
【図７Ｂ】第１の実施の形態に係る電子機器における押圧センサの第２の配置例を示す図
【図７Ｃ】第１の実施の形態に係る電子機器における押圧センサの第３の配置例を示す図
【図８】第１の実施の形態に係る電子機器における押圧センサの構成を示す図
【図９】第１の実施の形態に係る電子機器におけるガラス、タッチパネル層、押圧センサおよび表示部の第２の配置例を示す側断面図
【図１０】第１の実施の形態に係る電子機器におけるアイコン表示動作の一例を示す図
【図１１】第１の実施の形態に係る電子機器における長押し操作の一例を示す図
【図１２】第１の実施の形態に係る電子機器の座標判定処理を示すフローチャート
【図１３】第１の実施の形態に係る電子機器の移動判定処理を示すフローチャート
【図１４Ａ】第１の実施の形態に係る電子機器における第１の操作例を示す模式図
【図１４Ｂ】第１の実施の形態に係る電子機器における第２の操作例を示す模式図
【図１４Ｃ】第１の実施の形態に係る電子機器における第３の操作例を示す模式図
【図１４Ｄ】第１の実施の形態に係る電子機器における第４の操作例を示す模式図
【図１５】第１の実施の形態に係る電子機器における指等の接触、移動、離れについて動作例を示した模式図
【図１６】第１の実施の形態に係る電子機器の移動量の計算式を示す図
【図１７】第１の実施の形態に係るダウンロードシステムを示す模式図
【図１８】第２の実施の形態に係る電子機器の概略構成の一例を示すブロック図
【図１９】第２の実施の形態に係る電子機器の前面の外観の一例を示す斜視図
【図２０】第２の実施の形態に係る電子機器の表示部消灯処理を示すフローチャート
【図２１】第２の実施の形態に係る電子機器における指等の接触、移動、離れと表示部消灯についての動作例を示した模式図
【発明を実施するための形態】
【００３４】
（第１の実施の形態）
以下、本発明の第１の実施の形態について、図面を参照して説明する。
【００３５】
図１は、本実施の形態に係る電子機器１の概略構成の一例を示すブロック図である。
【００３６】
図１において、電子機器１は、タッチパネル層２、押圧センサ３、表示部４、記憶部５、制御部６、無線通信部７、および電源部８を備える。電子機器１としては、例えば、スマートフォンまたはタブレットなどが挙げられる。
【００３７】
タッチパネル層２は、静電容量方式のタッチパネル層であり、図２に示すように送信電極２５と受信電極２６を備え、これらが板状の誘電体２７の下面に離間して配置される。送信電極２５には、送信信号に基づく駆動パルスが、増幅器２８を経て印加される。送信電極２５に駆動パルスが印加されることで送信電極２５から電界が発生し、この電界中に導電性を有する指等が入った場合に、送信電極２５と受信電極２６の間の電気力線の数が減少し、その数の変化が受信電極２６における電荷の変化として現れる。
【００３８】
そして、タッチパネル層２（タッチパネル部の一例）は、受信電極２６における電荷の変化に応じた受信信号に基づいて、指等により指示された表示部４における二次元座標（ｘ，ｙ）を制御部６へ連続的に出力する。即ち、指等の移動に伴って二次元座標（ｘ、ｙ）が変化する場合でも、同じ指等に対応する二次元座標（ｘ、ｙ）として連続的に出力する。なお、ここで説明した動作は、タッチパネル層２に含まれるタッチパネル用制御部（図示せず）において行われる。
【００３９】
図３は、タッチパネル層２に指を徐々に近づけたときの検出状態を示す図である。図３において、（ａ）は、指が電界内に入っていない状態、すなわち、指が検出されていない状態である。（ｂ）は、指が電界内に入っているがタッチパネル層２に触れていない状態、すなわち、ホバー操作が検出された状態である。（ｃ）は、指が電界内に入ってタッチパネル層２に触れている状態、すなわち、タッチ操作が検出された状態である。なお、手袋をした指でタッチパネル層２に触れる操作の場合、指は直にタッチパネル層２に触れないため、図３における（ｂ）の状態となる。
【００４０】
図４は、図３（ｂ）のホバー操作が検出された状態を詳細に示す図である。指７０とタッチパネル層２との垂直距離（ｚ）が所定の距離より小さくなった場合、ホバー操作が検出された状態となる。なお、当該所定の距離は、指７０の向きや太さによって変化するものであるし、設計上必要に応じて変更することも可能な値である。また前述の通り、指７０は、手袋７１をした状態でも検出可能である。
【００４１】
タッチパネル層２は、指７０によるホバー操作が検出される状態（垂直距離＝０のタッチ状態も含む）になると、指７０に対応する二次元座標（ｘ、ｙ）を出力する。以降前述の通り連続的に二次元座標（ｘ、ｙ）を出力し続け、指７０がタッチパネル層から離れホバー操作が検出されなくなるまで、二次元座標（ｘ、ｙ）を出力する。なお、この二次元座標は、面状のタッチパネル層２に沿った面における二次元座標である。
【００４２】
電子機器１は、図５に示すように直方体状の筐体１０を有する。図５において、この筐体１０の前面（正面）側には、透明部材であるガラス１１およびタッチパネル層２が配置されている。ガラス１１とタッチパネル層２は、平面視すると長方形状（矩形状）に形成されており、筐体１０の前面の面積より小さい面積である。そして、ガラス１１はタッチパネル層２より前面側になるように、タッチパネル層２に重ねて配置されている。
【００４３】
なお、タッチパネル層２において、ガラス１１が重ねられた面の裏面には、平面視したときに長方形状である表示部４が配置されている。
【００４４】
押圧センサ３（押圧検出部の一例）は、タッチパネル層２を保護するためのガラス１１の歪み（所定の歪み量）を検出し、歪みの有無を示す信号を制御部６へ出力する。ガラスの歪みは、指示体の押圧によって発生し、水滴等の付着では発生しないとする。なお、必ずしも歪みの有無(有り及び無し)を示す信号である必要はなく、歪み有り、もしくは歪み無しのどちらか一方を示す信号でもよい。また、押圧センサ３自体が歪みの有無を判断するのではなく、ガラスの歪みの程度を示す信号を制御部６に出力し、制御部６が歪みの有無を判断してもよい。
【００４５】
図６は、電子機器１の側断面図である。図６に示すように、ガラス１１の下には、タッチパネル層２、表示部４（ＬＣＤ４１およびバックライト４２）、押子（プランジャ）２１、押圧センサ３、伸縮部材２２の順で配置されている。即ち、押圧センサ３は、表示部４を基準とするとタッチパネル層２と反対側に配置されている。
【００４６】
図６において、押子２１は、バックライト４２と押圧センサ３の間に配置されている。押子２１の一端はバックライト４２の一面に接触しており、押子２１のもう一端は押圧センサ３の一面に固定されている。筐体１０の枠組み部分１２（筐体１０の一部分の例）には、窪み部２３が形成されている。窪み部２３には伸縮部材２２が立設しており、伸縮部材２２の一端は窪み部２３の底面に固定されており、もう一端は押圧センサ３の一面（押子２１が固定されている面の裏面）に固定されている。また、押圧センサ３の両端は、枠組み部分１２に固定されている。
【００４７】
図６において、枠組み部分１２の下には、二次電池１４が配置されている。更に、二次電池１４の下には、筐体１０の下面部１３（筐体１０の一部分の例）が配置されている。即ち、二次電池１４は、枠組み部分１２と下面部１３の間に配置されている。
【００４８】
図６の構成において、ユーザの指７０（素手または手袋をした手）の接触によってガラス１１に圧力が加えられると、押子２１が押圧センサ３を下方向（窪み部２３の方向）へ押し下げる。このとき、押圧センサ３に対する圧力を吸収するように、伸縮部材２２は縮む。ユーザの指がガラス１１から離れ、ガラス１１に対する圧力が無くなると、伸縮部材２２は伸びて元の長さに戻る。これにより、押圧センサ３は上方向（バックライト４２の方向）へ押し上げられる。
【００４９】
図６に示す押圧センサ３の電子機器１における配置位置の例を図７に示す。図７Ａ、図７Ｂ、図７Ｃは、それぞれ、電子機器１の筐体１０の前面（正面）において、押圧センサ３がどこに配置されているかを示している。
【００５０】
図７Ｃにおいて、押圧センサ３が２つ配置されているが、これら２つの押圧センサ３は、統合して、１つの押圧センサ３として機能するようにしてもよい。
【００５１】
また、押圧センサ３は、１つや２つに限らず、３つ以上の押圧センサ３を配置するようにしてもよい。
【００５２】
押圧センサ３は、図８に示すように、圧電素子でできた圧電フィルム３１を用いて押圧力を検出する。押圧センサ３において、ベース板３２の上に圧電フィルム３１が配置され、圧電フィルム３１を挟むように押圧力検知用電極パターン３３が複数配置される。ベース板３２等の撓みのない状態（Ａ）において、上方から下方に向かって押圧がなされ、ベース板３２等に撓みのある状態（Ｂ）になる。そうすると、圧電フィルム３１の微小な撓みにより電荷が発生し、圧電フィルム３１を挟んで対向する押圧力検知用電極パターン３３間に電圧が発生する。押圧センサ３は、この電圧に基づき押圧力を検出することができる。
【００５３】
図８に示す押圧センサ３において、圧電フィルム３１の両面には、押圧力検知用電極パターン３３以外に所定のパターン３４が配置されている。当該所定のパターン３４は、押圧力検知用電極パターン３３と同様に利用しても良いし、任意の信号を通すようにしても良い。
【００５４】
なお、図６においては、押圧センサ３を、表示部４を基準にタッチパネル層２と反対側に配置する例について説明したが、図９に示すように、押圧センサ３を表示部４とタッチパネル層２の間に配置するようにしても良い。
【００５５】
図９において、タッチパネル層２の前面側には、上述したとおり、タッチパネル層２を保護するためのガラス１１が重ねて配置されている。ガラス１１およびタッチパネル層２は、面状であり、かつ、可視光線において所定の透過率を有し、表示部４の表示を透過する。また、ガラス１１の少なくとも一部は、筐体１０より露出するように配置され、その他の部分は筐体１０の内側に配置される。なお、ガラス１１は、タッチパネル層２と一体化した構成であってもよい。
【００５６】
また、図９において、タッチパネル層２において、ガラス１１が重ねられた面の裏面には、上述したとおり、押圧センサ３が配置されている。また、上述したとおり、押圧センサ３において、タッチパネル層２が重ねられた面の裏面には、表示部４を構成するＬＣＤ４１およびバックライト４２が順に配置されている。このように、表示部４の前面側に押圧センサ３が重ねて配置され、押圧センサ３は、ガラス１１およびタッチパネル層２と同様に、透明かつ可視光線を透過する透過性を有する。なお、押圧センサ３は、タッチパネル層２と一体化した構成でもよい。
【００５７】
表示部４は、筐体１０の内部に配置され、制御部６の指示に基づいて所定の情報を表示する装置であり、ＬＣＤ（Liquid Crystal Display）４１およびバックライト４２を有する。なお、表示部４は、ＬＣＤ４１等の代わりとして、有機ＥＬ（Electro Luminescence）または電子ペーパ等のデバイスを有する構成であってもよい。
【００５８】
制御部６では、種々のプログラムが実行される。これらのプログラムの一種類として、アプリケーションプログラムが実行される。
【００５９】
アプリケーションプログラムによって、表示部４は、タッチパネル層２で判定された二次元座標（ｘ，ｙ）が有効な座標の場合、この二次元座標（ｘ，ｙ）に対応する表示として、所定の画像（例えばポインタまたはアイコン等）を表示する（図示せず）。
【００６０】
或いは、アプリケーションプログラムによって、図１０の（Ａ）に示すように二次元座標（ｘ１，ｙ１）が有効な座標の場合、図１０の（Ｂ）に示すようにアイコン５０が表示される。この場合も有効な二次元座標（ｘ１，ｙ１）が直接的に表示されるわけではないが、アイコン５０が表示される形で当該二次元座標（ｘ１，ｙ１）が表示される、即ち表示可能と捕らえることも出来る。
【００６１】
なお、図１０Ｂにおいて、二次元座標（ｘ，ｙ）に対応してポインタ（図示せず）を表示させるようにしてもよい。この場合において、ポインタがアイコン５０と重なるときは、アイコン５０が選択可能状態となるようにしてもよい。このようなポインタやアイコン５０の表示、および、アイコン５０に対応する機能の起動は、制御部６の指示によって行われる。
【００６２】
また、制御部６は、アプリケーションプログラムによって、図１１に示す様に、所定の領域、例えばアイコン５１に対応する領域に、指がタッチし、有効な座標が第１の時間（例：０．１秒）留まった後に指が離れた場合、第１の動作（通常のタッチ操作）をするようにしても良い。更に、制御部６は、当該所定の領域（第２の範囲）に指が入り、有効な座標が、少なくとも第２の時間（第２の時間は、第１の時間より長い。例：０．５秒）留まった場合、第２の動作（通常の長押し操作）をするようにしても良い。
【００６３】
図１の説明に戻る。記憶部５は、ＤＲＡＭ（Dynamic Random Access Memory）等の揮発性メモリを有し、ユーザが電子機器１に対して各種設定を行った際、その設定を記憶する。
【００６４】
制御部６は電子機器１の各部を制御するものである。制御部６は、ＣＰＵ（Central Processing Unit）、ＲＯＭ（Read Only Memory）、ＲＡＭ（Random Access Memory）、およびインタフェース回路で構成される。ＲＯＭにはＣＰＵを制御するためのプログラムが記憶されており、ＲＡＭはＣＰＵの動作時に演算領域として使用される。
【００６５】
無線通信部７は、アンテナが接続されている。無線通信部７は、当該アンテナを介して、外部との間、無線送信と無線受信を行い、プログラム等のデータを送信したり、受信したりする。
【００６６】
電源部８は、リチウムイオン電池等の二次電池１４が接続されている。電源部８は、当該二次電池が供給する電力を、電子機器１の各部に供給する。
【００６７】
本実施の形態では、制御部６が、押圧センサ３およびタッチパネル層２からの入力情報に基づいて、座標判定処理を行うことを特徴とする。この座標判定処理について、図１２、図１３、図１４を用いて説明する。
【００６８】
制御部６は、図１２に示す座標判定処理を周期的（例：１／６０秒に１回）に実行する。
本座標判定処理を開始すると、タッチパネル層２が出力する二次元座標（ｘ、ｙ）をタッチ座標（ｘ、ｙ）として取得する（ステップＳ１０１）。ここで、制御部６は取得するタッチ座標（ｘ、ｙ）とは独立に、タッチ座標の有効／無効を管理し、現時点の有効／無効を保持するようにしている。本座標判定処理の開始前においては、タッチ座標は無効として保持されている。
【００６９】
次に、ステップＳ１０２において、タッチ座標が既に有効か判定される。本座標判定処理の開始前にタッチ座標は無効に保持されていると、ステップＳ１０２においてＮＯとなり、押圧センサ３から押圧量を取得する（ステップＳ１０３）。
【００７０】
次に、ステップＳ１０４において、取得した押圧量が所定値より大きい押圧量か判定される。指７０や手袋７１による接触が無く、取得した押圧量が所定値より大きくない場合（ステップＳ１０４：ＮＯ）、タッチ座標を無効のままとし（ステップＳ１０５）、終了する。
【００７１】
ステップＳ１０４において、指７０や手袋７１により押圧され、取得した押圧量が所定値より大きい場合（ステップＳ１０４：ＹＥＳ）、タッチ座標を有効化し（ステップＳ１１０）、終了する。本座標判定処理は、前述の通り周期的に実行されるので、制御部６は、終了後、次の周期において再びタッチパネル層２よりタッチ座標（ｘ、ｙ）取得する（ステップＳ１０１）ことを繰り返す。
【００７２】
次に、ステップＳ１１０においてタッチ座標は有効化されていると、ステップＳ１０２において、ＹＥＳと判定され、ステップＳ１０６に進む。
【００７３】
ここで、制御部６は有効なタッチ座標について、破棄中／破棄中でないを保持するようにしている。有効なタッチ座標について当初は、破棄中でないと保持されている。
【００７４】
ステップＳ１０６において、タッチ座標について破棄中であるか判定される。破棄中でないと保持されていると、ステップＳ１０６において、ＮＯとなりステップＳ１０７に進む。
【００７５】
ステップＳ１０７において、指７０とタッチパネル層２との垂直距離（ｚ）が検出領域内か判定される。領域内である場合はリリース検知はなされていないとなり（ステップＳ１０７：ＮＯ）、領域外である場合は、リリース検知がなされたとなる（ステップＳ１０７：ＹＥＳ）。
【００７６】
ステップＳ１０７においてリリース検知がなされていない場合（ステップＳ１０７：ＮＯ）、ステップＳ１０８へ進み、タッチ座標（ｘ、ｙ）について所定時間において所定の移動があるか判定し、ステップＳ１０９へ進む。ステップＳ１０８の当該移動判定については、図１３を用いて後述する。
【００７７】
ステップＳ１０９において、所定の移動がある場合（ステップＳ１０９：ＹＥＳ）、タッチ座標は有効なままとし（ステップＳ１１０）、終了する。
【００７８】
ステップＳ１０９におおいて、所定の移動がない場合（ステップＳ１０９：ＮＯ）、制御部６は、リリースがなされたとアプリケーションプログラムに通知し（ステップＳ１１２）、有効なタッチ座標を破棄するようにし（即ちタッチ座標を無効化し）、破棄状態を保持するようにし（ステップＳ１１３）、終了する。
【００７９】
アプリケーションプログラムによっては、ステップＳ１１２のリリース通知によって、当該タッチ座標を無効と判断することができるものもある。しかし、その後もタッチ座標をアプリケーションプログラムに通知しつづけると、アプリケーションプログラムによっては、新たなタッチ座標と判断してしまうものもある。そこで、ステップＳ１１３において、タッチ座標を積極的に破棄するようにして、タッチ座標をアプリケーションプログラムを通知しないようにしている。
【００８０】
制御部６は当該破棄状態が継続する間、有効なタッチ座標を破棄するので、この間タッチ座標は、実質的に無効となる。
【００８１】
本座標判定処理は、前述の通り周期的に実行されるので、制御部６は、終了後、次の周期において再びタッチパネル層２よりタッチ座標（ｘ、ｙ）取得し（ステップＳ１０１）、ステップＳ１０２に進む。
【００８２】
ステップＳ１０２において、制御部６が保持するタッチ座標の有効／無効が、有効である場合（ステップＳ１０２：ＹＥＳ）、ステップＳ１０６に進む。ステップＳ１０６において、タッチ座標が破棄中である場合（ステップＳ１０６：ＹＥＳ）、ステップＳ１１４へ進む。
【００８３】
ステップＳ１１４においては、ステップＳ１０７と同様に指７０とタッチパネル層２との垂直距離（ｚ）が検出領域内か判定される。領域内である場合はリリース検知はなされていないとなり（ステップＳ１１４：ＮＯ）、領域外である場合は、リリース検知がなされたとなる（ステップＳ１１４：ＹＥＳ）。
【００８４】
ステップＳ１１４において、リリース検知がなされていない場合（ステップＳ１１４：ＮＯ）、制御部６は、有効なタッチ座標を破棄するようにするとともに、破棄状態を保持するようにし（ステップＳ１１７）、終了する。
【００８５】
制御部６は当該破棄状態が継続する間、有効なタッチ座標を破棄するので、この間タッチ座標は、実質的に無効となる。
【００８６】
ステップＳ１１４においてリリース検知がなされたとなる場合（ステップＳ１１４：ＹＥＳ）、ステップＳ１１５へ進む。なお、ステップＳ１１４において、指７０とタッチパネル層２との垂直距離（ｚ）が検出領域内か判定されるが、検出領域に対応する垂直距離は設計によって変更可能であり、検出領域に対応する垂直距離を０（ゼロ）とするようにしても良い。この場合、タッチ状態がステップＳ１１４のＮＯに対応し、タッチ状態から指がタッチパネル層２からはなれた状態がステップＳ１１４のＹＥＳに対応する。
【００８７】
次に、ステップＳ１１５において、制御部６は、保持している破棄状態をクリアし、ステップＳ１１６へ進む。
【００８８】
ステップＳ１１６において、タッチ座標の有効をクリアする。即ち、保持しているタッチ座標の有効を無効とする。その後、終了する。
【００８９】
ステップＳ１０７において、リリース検知がなされたとなる場合（ステップＳ１０７：ＹＥＳ）、ステップＳ１１１へ進む。なお、ステップＳ１０７において、指７０とタッチパネル層２との垂直距離（ｚ）が検出領域内か判定されるが、検出領域に対応する垂直距離は設計によって変更可能であり、検出領域に対応する垂直距離を０（ゼロ）とするようにしても良い。この場合、タッチ状態がステップＳ１０７のＮＯに対応し、タッチ状態から指がタッチパネル層２からはなれた状態がステップＳ１０７のＹＥＳに対応する。
【００９０】
次に、リリースがなされたとアプリケーションプログラムに通知し（ステップＳ１１１）、タッチ座標の有効をクリアする（ステップＳ１１６）。即ち、保持しているタッチ座標の有効を無効とする。その後、終了する。
【００９１】
図１３は、前述のステップＳ１０８に対応する移動判定処理を示すフローチャートである。前述の通り、図１２に示す座標判定処理は、周期的（例：１／６０秒に１回）に実行されるので、その一部であるステップＳ１０８も、最も頻繁な場合として座標判定処理と同じ周期（例：１／６０秒に１回）で実行される。
【００９２】
ここで、制御部６は取得するタッチ座標（ｘ、ｙ）とは独立に、当該移動判定処理が前回実行された際の前回座標を保持するようにしている。本移動判定処理の開始前においては、前回座標は所定の座標（例：（０、０））が保持されている。
【００９３】
また、制御部６は、判定状態について状態を保持するようにしており、当該判定状態は、移動中、判定中、停止中の３つの状態を有する。本移動判定処理の開始前においては、判定状態は移動中が保持されている。
【００９４】
制御部６は、本移動判定処理を開始すると、前回座標（ｘ、ｙ）と現時点のタッチ座標（ｘ、ｙ）を基に図１６に示す計算式を用いて移動量を計算し（ステップＳ２０１）、ステップＳ２０２に進む。
【００９５】
ステップＳ２０２において、制御部６は、計算された移動量が、所定の閾値より小さいか、即ち所定の範囲（第１の範囲）内の移動であるか、判定する。当該移動量が所定の閾値より大きい場合（ステップＳ２０２：ＮＯ）、制御部６は、判定状態を移動中とし（ステップＳ２０３）、移動なし経過時間をクリアし、即ち０（ゼロ）とする（ステップＳ２０４）。
そして、制御部６は、移動ありとし（ステップＳ２０５）、前回座標を、当該現時点のタッチ座標に書き換えて保存し（ステップＳ２０６）、終了する。
【００９６】
なお、第１の範囲内の移動とは、当然全く移動せず停止した状態を含む概念である。即ち、ここでの第１の範囲内の移動とは、全く移動せず停止した状態と、当該停止した状態は除く第１の範囲内の移動との論理和の概念である。
【００９７】
また、所定時間において所定の範囲内の移動の判定については、タッチ座標（ｘ、ｙ）のｘ値の時間微分、及び／又は、ｙ値の時間微分を利用するようにしても良い。
【００９８】
また、第１の範囲は、前述の第２の範囲と、同じでも良い。
【００９９】
ステップＳ２０２において、当該移動量が所定の閾値より小さい場合（ステップＳ２０２：ＹＥＳ）、制御部６は、ステップＳ２０７に進み、判定状態が停止中か判定する。
【０１００】
ステップＳ２０７において、判定状態が停止中でない場合、即ち判定状態が、移動中又は判定中の場合（ステップＳ２０７：ＮＯ）、ステップＳ２０８に進み、判定状態が判定中か判定する。
【０１０１】
ステップＳ２０８において、判定状態が判定中でない場合、即ち判定状態が、移動中の場合（ステップＳ２０８：ＮＯ）、制御部６は、内部に備える時計（図示せず）が示す現時刻を判定開始時刻として保存する（ステップＳ２０９）。ここで時計は、絶対的な時刻を刻むものである。そして、制御部６は、判定状態を判定中とし（ステップＳ２１０）、ステップＳ２０５に進み移動ありとする。以降、制御部６は、前述と同様にステップＳ２０５から、ステップＳ２０６と進み、終了する。
【０１０２】
ステップＳ２０８において、判定状態が判定中である場合（ステップＳ２０８：ＹＥＳ）、制御部６は、保存された判定開始時刻と時計が示す現時刻の差から判定開始時刻からの経過時間を計算し（ステップＳ２１１）、ステップＳ２１２へ進む。
【０１０３】
ステップＳ２１２において、制御部６は当該経過時間が、経過時間についての所定の閾値より大きいか判定する。経過時間が所定の閾値より小さい場合（ステップＳ２１２：ＮＯ）、制御部６は、ステップＳ２０５に進み移動ありとする。以降、制御部６は、前述と同様にステップＳ２０５から、ステップＳ２０６と進み、終了する。ここで、経過時間についての所定の閾値は、前述の長押し操作に対応する第２の時間より長い時間としている。
【０１０４】
ステップＳ２１２において、経過時間が所定の閾値より大きい場合（ステップＳ２１２：ＹＥＳ）、制御部６は移動なしとする（ステップＳ２１３）。そして制御部６は、判定状態を停止中とし（ステップＳ２１４）、前回座標を、当該現時点のタッチ座標に書き換えて保存し（ステップＳ２０６）、終了する。
【０１０５】
ステップＳ２０７において、判定状態が停止中の場合（ステップＳ２０７：ＹＥＳ）、制御部６は、移動なしとする（ステップＳ２１３）。そして制御部６は、判定状態を停止中とし（ステップＳ２１４）、前回座標を、当該現時点のタッチ座標に書き換えて保存し（ステップＳ２０６）、終了する。
【０１０６】
制御部６は、ステップＳ２０５で移動ありとした結果と、ステップＳ２０８で移動なしとした結果を、図１２に示す座標判定処理のステップＳ１０９で利用する。
【０１０７】
図１４Ａから図１４Ｄは、ガラス１１上に水滴８０がある状態で、手袋７１を装着した指７０が、ガラス１１に近づき、ガラス１１に接触して移動し、接触した状態で指７０及び手袋７１が水滴８０と一体になり、指７０がガラス１１から離れた、一連の操作の例を示す模式図である。
【０１０８】
これら一連の操作例を図１２の座標判定処理及び図１３の移動判定処理に適応する場合について、説明する。
【０１０９】
まず、図１４Ａに示すように、ガラス１１上に水滴８０がある状態で指７０がタッチパネル層２に近づき検出領域に入ったとする。制御部６は、タッチ座標を取得する（ステップＳ１０１）。次に制御部６は、タッチ座標は未だ有効でなく（ステップＳ１０２：ＮＯ）、押圧センサ３から押圧量を取得し（ステップＳ１０３）、水滴８０による押圧量は所定値より小さく（ステップＳ１０４：ＮＯ）、タッチ座標を無効とする（ステップＳ１０５）。
【０１１０】
次に、図１４Ｂに示すように、指７０及び手袋７１がガラス１１に接触したとする。制御部６は、タッチ座標を取得する（ステップＳ１０１）。次に制御部６は、タッチ座標は未だ有効ではなく（ステップＳ１０２：ＮＯ）、押圧センサ３から押圧量を取得し（ステップＳ１０３）、指７０による押圧量は所定値より大きく（ステップＳ１０４：ＹＥＳ）、タッチ座標を有効とする（ステップＳ１１０）。
【０１１１】
次に、図１４Ｃに示すように、指７０及び手袋７１がガラス１１に接触して移動し水滴８０と一体となったとする。制御部６は、タッチ座標を取得（ステップＳ１０１）する。次に制御部６は、タッチ座標は既に有効であり（ステップＳ１０２：ＹＥＳ）、タッチ座標は未だ破棄中でなく（ステップＳ１０６：ＮＯ）、未だリリース検知はなされておらず（ステップＳ１０７：ＹＥＳ）、指７０等が移動中（ステップＳ１０８、ステップＳ１０９：ＹＥＳ）であり、タッチ座標を有効とする（ステップＳ１１０）。
【０１１２】
ここで、タッチパネル層２はタッチ座標を連続的に出力するが、指７０及び手袋７１と水滴８０と一体となると、指７０に対応するタッチ座標と水滴８０に対応するタッチ座標を区別できなくなる。例えば当該一体となった後に、指７０がガラス１１から離れた場合でも、水滴８０に対応するタッチ座標を、指７０に対応するタッチ座標として出力し続ける。更に、タッチパネル層２は、水滴８０を指７０と混同して、リリース検知もなされないままになる。
【０１１３】
次に、図１４Ｄに示すように、指７０及び手袋７１がガラス１１から離れたとする。制御部６は、タッチ座標を取得する（ステップＳ１０１）。次に、制御部６は、タッチ座標は既に有効であり（ステップＳ１０２：ＹＥＳ）、タッチ座標は未だ破棄中ではなく（ステップＳ１０６：ＮＯ）、前述の通り、未だリリース検知はなされておらず（ステップＳ１０７：ＮＯ）、移動判定を行う（ステップＳ１０８）。
【０１１４】
水滴８０が移動しない場合、制御部６は、まず移動判定を開始しつつ（ステップＳ２０１、ステップＳ２０２、ステップＳ２０７、ステップＳ２０８、ステップＳ２０９、ステップＳ２１０、ステップＳ２０５、ステップＳ２０６）、移動判定の開始時刻からの経過時間が、所定の閾値を超えるまで移動ありとする（ステップＳ２０１、ステップＳ２０２、ステップＳ２０７、ステップＳ２０８、ステップＳ２１１、ステップＳ２１２、ステップＳ２０５、ステップＳ２０６）。
【０１１５】
ステップＳ１０９において、制御部６は、移動あり（ステップＳ１０９：ＹＥＳ）とし、タッチ座標を有効とする（ステップＳ１１０）。
【０１１６】
水滴８０が引き続き移動しない場合、制御部６は、移動判定の開始時刻からの経過時間が、所定の閾値を超えるまで移動なしとする（ステップＳ２０１、ステップＳ２０２、ステップＳ２０７、ステップＳ２０８、ステップＳ２１１、ステップＳ２１２、ステップＳ２１３、ステップＳ２１４、ステップＳ２０６）。
【０１１７】
ステップＳ１０９において、移動なし（ステップＳ１０９：ＮＯ）となり、リリースがなされたとアプリケーションプログラムに通知し（ステップＳ１１２）、有効なタッチ座標を破棄するようにする（ステップＳ１１３）。即ち、タッチ座標は、実質的に無効となる。
【０１１８】
その後、タッチパネル層２がリリースを検知するまでタッチ座標破棄（ステップＳ１０１，ステップＳ１０２、ステップＳ１０６、ステップＳ１１４、ステップＳ１１７）を繰り返す。
【０１１９】
なお、図１４Ａ、図１４Ｂ、図１４Ｃ、及び図１４Ｄは、手袋７１を装着した指７０を例にしたが、手袋７１を装着しない指７０でも同様である。
【０１２０】
図１５は、図１４Ｂ、図１４Ｃ、図１４Ｄで示した、指７０等がガラス１１に接触し、移動し、離れる例について、時間軸に沿って動作例を示した模式図である。
【０１２１】
図１５においては、横軸は時間であり、時間＝０において指７０等がガラス１１に接触したとする（図１４Ｂに対応）。前述の通り、指７０による押圧量は所定値より大きく、タッチ座標が有効となる。指７０等の接触より前から有る水滴８０に対応するタッチ座標は、無効のままである。
【０１２２】
指７０等が移動している間（図１４Ｂと図１４Ｃの間が対応）、即ち図１５において時間＝０から、時間＝ａの間、指７０等は移動中であり、指等によるタッチ座標を有効とする。
【０１２３】
時間＝ａにおいて、指７０等と水滴８０と一体となると、時間＝ｂまで指７０に対応するタッチ座標と水滴８０に対応するタッチ座標を区別することなく、有効座標として出力する（図１４Ｃが対応）。
【０１２４】
時間＝ｂにおいて指７０等がガラス１１から離れたとすると、前述の通り移動量が移動量閾値より小さい時間が経過時間閾値より大きくなるまで（時間＝ｃまで）、水滴８０の座標を有効座標として出力する。
【０１２５】
移動量が移動量閾値より小さい時間が経過時間閾値より大きくなると（時間＝ｃ以降）、前述の通り、移動なしとなり、有効なタッチ座標を破棄するようにし、タッチ座標を実質的に無効となる。これにより、時間＝ｃ以降において水滴による誤検知の継続を終了させることができる。
【０１２６】
なお、本実施の形態に係る電子機器１においては、前述の通り、押圧センサ３から押圧量を取得し（ステップＳ１０３）、取得した押圧量が所定値より大きい場合（ステップＳ１０４：ＹＥＳ）、タッチ座標を有効化する（ステップＳ１１０）ようにしたが、指７０等に対応するタッチ座標を有効化する方法はこれに限らない。
【０１２７】
例えば、指７０等の指示体とタッチパネル層２との距離が所定の距離以下の場合、指示体に対応する二次元座標を有効化するようにしても良い。
【０１２８】
或いは、指７０等の指示体とタッチパネル層２との距離が０（ゼロ）の場合、指示体に対応する二次元座標を有効化するようにしても良い。ここで、指示体とタッチパネル層２との距離が０（ゼロ）とは、指等の指示体がガラス１１に接触して、指が潰れた場合も含むようにしてもよい。
【０１２９】
これらの様に、所定の条件を満たす場合、指示体に対応する二次元座標を有効化するようにしても良い。
【０１３０】
以上のように説明した図１２の座標判定処理において、一部分を切り出して実行するようにしても良い。例えば、ステップＳ１０１、ステップＳ１０２、ステップＳ１０６、ステップＳ１０７、ステップＳ１０８、ステップＳ１０９、ステップＳ１１０、ステップＳ１１２、及びステップＳ１１３等を切り出して実行するようにしても良い。
【０１３１】
この場合、所定の条件を満たす場合、指示体に対応する二次元座標を有効化し、有効化された二次元座標は、前記指示体の移動に伴って移動し、有効化された二次元座標が、所定時間において所定の範囲内の移動である場合、前記有効化された二次元座標を無効化すると捕らえることができる。
【０１３２】
前述の様に、静電容量方式のタッチパネル層２では、ホバー操作を検出するために、非常に微弱な容量値の変化を検出する。しかしながら、水滴８０がタッチパネル層２に付着した場合と、タッチパネル層２に対して実際にホバー操作が行われた場合とでは、検出される容量値の変化が近似している。その為、降雨などで水滴がタッチパネル層２に付着した場合、その付着をホバー操作の実行であると誤検出するおそれがある。
【０１３３】
特に、この様なホバー操作を検出することができるタッチパネル層２において、指等の指示体をタッチパネル層２に接近させて二次元座標が有効になった後、指示体の移動に伴って二次元座標が移動し、タッチパネル層２上に水滴等がある所に移動した後に、指示体がタッチパネル層２から離れていった場合、タッチパネル層２上に残った水滴を、離れた指示体を区別することが難しく、残った水滴に対応して二次元座標を有効にし続け、次の所望の操作が出来ない場合がある。上記ステップにより、有効化された二次元座標が所定時間大きな移動が無い場合、即ち残った水滴に対応して二次元座標である蓋然性が高い場合、当該二次元座標を無効化し、次の所望の操作等が可能になる。なお、この様な作用と効果は、ホバー操作を検出することができるタッチパネル層２において特徴的であるが、タッチ操作を検出することができるタッチパネル層２を排除するものではない。即ち、タッチ操作を検出することができるタッチパネル層２、及び、ホバー操作とタッチ操作の両方を検出することができるタッチパネル層２においても同様の作用と効果を備える。
【０１３４】
また、本実施の形態に係る電子機器１は、二次元座標を無効化する第１の時間が、所定の動作（例えば、長押しに対応する動作）に対応する第２の時間より長いので、必要に応じて所定の動作を実行できるとともに、有効化された二次元座標が所定時間大きな移動が無い場合、即ち残った水滴に対応して二次元座標である蓋然性が高い場合、当該二次元座標を無効化し、次の所望の操作等が可能になる。
【０１３５】
また、本実施の形態に係る電子機器１は、携帯無線機や、ゲーム機、テレビ、電子レンジ、洗濯機、冷蔵庫、カーナビゲーション、カーナビゲーションを備えた自動車、ホームエネルギーマネジメントシステム（ＨＥＭＳ）端末装置、ホームエネルギーマネジメントシステム（ＨＥＭＳ）端末装置を備えた家、ＡＴＭ（Automated Teller Machine）、デジタルサイネージ装置等であっても良い。
【０１３６】
また、本実施の形態に係る電子機器１では、図１２、図１３のフローチャートで示す制御方法の処理を記述したプログラムをＲＯＭに持たせたが、当該プログラムを、磁気ディスク、光ディスク、光磁気ディスク、フラッシュメモリ等の記憶媒体に格納して配布するようにしてもよい。
【０１３７】
或いは、図１７に示す様に、インターネット等のネットワーク上のサーバ２００に当該プログラムを保存するようにして、電気通信回線を利用してダウンロードできるようにしても良い。そして、当該プログラムの対価として所定の金額（代金）を決済するために、クレジットカード等に掛かる決済情報を電子機器１（例：スマートフォン）等からサーバ２００に送信し、当該決済が実行され、当該プログラムを送信する（ダウンロードする）ようにしても良い。
【０１３８】
当然、この様にしてダウンロードしたプログラムを、電子機器１でインストール及び実行するようにしても良い、即ち実行可能にしても良い。
（第２の実施の形態）
以下、本発明の第２の実施の形態について、図面を参照して説明する。
【０１３９】
図１８は、本実施の形態に係る電子機器１０１の概略構成の一例を示すブロック図である。
【０１４０】
図１８において、電子機器１０１は、起動スイッチ９及び制御部１０６以外は、第１の実施の形態の電子機器１と共通である。
【０１４１】
起動スイッチ９は、図１９に示す様に、筐体１０の側面に配置され、外部から電子機器１０１の使用者により操作可能である。
【０１４２】
制御部１０６は、第１の実施の形態の制御部６と同様に座標判定処理、移動判定処理を実行するのに加え、図２０に示す表示部消灯処理を実行する。
【０１４３】
本実施の形態に係る電子機器１０１は、第１の実施の形態に係る電子機器１と同様に有効化された二次元座標が、所定時間において所定の範囲内の移動である場合、有効化された二次元座標を無効化する。その後所定時間（第３の時間）経過後に、電子機器１０１は、表示部を消灯する。図２０は、この表示部消灯の処理に関連するフローチャートである。
【０１４４】
制御部１０６は、図２０に示す表示部消灯の処理を開始すると、起動スイッチ９の操作があるか判定する（ステップＳ３０１）。操作がない場合（ステップＳ３０１：ＮＯ）、制御部１０６はステップＳ３０１を繰り返す。操作がある場合（ステップＳ３０１：ＹＥＳ）、制御部１０６は、バックライト４２を点灯する（ステップＳ３０２）。
【０１４５】
ここで、制御部１０６は、タイマ（図示せず）を備えており、当該タイマをリセットし、次にスタートさせた後の時間を計測することができる。
【０１４６】
制御部１０６は、次のステップＳ３０３において当該タイマをリセットし、ステップＳ３０４に進む。  次に、制御部１０６は、有効座標が有るか判定する（ステップＳ３０４）。例えば、図１２のステップＳ１１０等でタッチ座標が有効な場合、制御部１０６は、有効座標は有りと判定し（ステップＳ３０４：ＹＥＳ）、ステップＳ３０３に戻る。
【０１４７】
ステップＳ３０４において、例えば、図１２のステップＳ１１２，ステップＳ１１３等でタッチ座標が無効となった場合、制御部１０６は、有効座標は無しと判定し（ステップＳ３０４：ＮＯ）、ステップＳ３０５へ進む。
ステップＳ３０３ステップＳ３０６  ステップＳ３０５において、制御部１０６は、タイマをスタートさせステップＳ３０６に進む。
【０１４８】
ステップＳ３０３においてタイマがリセットされた後に、最初にステップＳ３０５になった場合、前述の通り、制御部１０６はタイマをスタートさせるが、リセットされた後に、ステップＳ３０５になるのが２回目以降の場合（例：ステップＳ３０４、ステップＳ３０５、ステップＳ３０６：ＮＯを繰り返す場合）、制御部１０６はステップＳ３０５においては特に何もせず、タイマは引き続き時間を計測する。
【０１４９】
ステップＳ３０６において、制御部１０６は、タイマが計測する時間を基に、所定時間（第３の時間、例：１５秒）経過したか判定する。当該所定時間経過しない場合（ステップＳ３０６：ＮＯ）、制御部１０６は、ステップＳ３０４に戻る。所定時間経過した場合（ステップＳ３０６：ＹＥＳ）、制御部１０６は、バックライト４２を消灯し（ステップＳ３０７）、終了する。
【０１５０】
図２１は、図１５と同様に、図１４Ｂ、図１４Ｃ、図１４Ｄで示した、指７０等がガラス１１に接触し、移動し、離れる例について、時間軸に沿って動作例を示した模式図である。加えて、図２１は、同じ時間軸に沿ったバックライト４２の点灯／消灯の動作を示している。
【０１５１】
図２１においては、図１５と同様に、横軸は時間であり、時間＝０において指７０等がガラス１１に接触したとする（図１４Ｂに対応）。バックライト４２は、時間＝０より前に、起動スイッチ９の操作等により点灯している（ステップＳ３０１、ステップＳ３０２）。
【０１５２】
時間＝０から時間＝ｃまでについては、図１５の説明と同様である。なお、時間＝０から時間＝ｃの間、制御部１０６は、有効座標を出力し、ステップＳ３０４：ＹＥＳ、ステップＳ３０３を繰り返す。
【０１５３】
図２０の表示部消灯処理のフローチャートでは、移動量が移動量閾値より小さい時間が経過時間閾値（第１の時間）より大きくなると（時間＝ｃ）、前述の通り、移動なしとなり、有効なタッチ座標を破棄するようにし、タッチ座標を実質的に無効となる。これにより、ステップＳ３０４：ＮＯとなり、タイマをスタートさせる（ステップＳ３０５、時間＝ｃ）。その後所定時間（第３の時間）経過すると（ステップＳ３０６：ＹＥＳ、）、バックライト４２を消灯する（ステップＳ３０７、時間＝ｄ）。
【０１５４】
これにより、有効化された二次元座標が所定時間（第１の時間）大きな移動が無い場合、即ち残った水滴に対応した二次元座標である蓋然性が高い場合、バックライト４２を消灯することで、残った水滴によってバックライト４２が点灯し続けることを抑制することができる。これにより、二次電池１４によって動作し続けられる時間、即ち電池の持ち時間を長くすることができる。
【０１５５】
前述の通り、有効化された二次元座標が所定時間（第１の時間）大きな移動が無い場合、即ち残った水滴に対応した二次元座標である蓋然性が高い場合、所定時間（第３の時間）後にバックライト４２を消灯する。しかし、第３の時間が余りに短いと、バックライト４２が急に消灯することになり、電子機器の使用者が違和感を覚える場合がある。そこで、例えば、第３の時間を、第１の時間より長くするようにしても良い。
【０１５６】
また、第３の時間は、電子機器１０１において複数の選択肢を用意しておき、使用者によって選択できるようにしても良い。それら、複数の選択肢の全部、もしくは少なくとも一つの選択肢は、第３の時間として、第１の時間より長くしても良い。
【０１５７】
なお、バックライト４２が点灯する条件（第１の条件）として、図２０の表示部消灯処理では、起動スイッチ９の操作があった場合としたが、これに限らない。例えば、図１２のステップＳ１１０でタッチ座標を有効になった場合でも良い。或いは、指７０等の指示体とタッチパネル層との距離が所定の距離以下の場合に、指示体に対応する二次元座標を有効化するとともに、バックライト４２を点灯するようにしてもよい。
【０１５８】
また、表示部４として、バックライト４２と組み合わせて利用されるＬＣＤ４１の代わりに、自発光方式の有機ＥＬを利用する場合は、バックライト４２の点灯／消灯の代わりに、有機ＥＬ自身の発光の開始と停止とすることができる。なお、自発光方式の表示部４は、有機ＥＬに限定するものではない。プラズマ方式の表示部４でも同様である。
【０１５９】
また、表示部４について、バックライト４２の点灯／消灯、自発光の開始／停止等を含めると、これらの状態を、表示部４の点灯／消灯と捕らえることもできる。
【０１６０】
また、これまで消灯という言葉を使って説明して来たが、ここでの消灯はバックライト４２等が完全に消えている状態のみを指すものでは無い。ここでの消灯とは、点灯している状態から少しでも明るさが下がった状態、或いは点灯している状態から相当明るさが下がった状態も含む概念である。
【産業上の利用可能性】
【０１６１】
本発明は、タッチパネルを搭載した電子機器および、この電子機器の制御方法、電子機器にインストールすることで、この制御方法を実行可能にするプログラム、及び、このプログラムをダウンロード可能に保存したサーバにおいて利用可能である。
【符号の説明】
【０１６２】
１、  １０１  電子機器
２  タッチパネル層（タッチパネル部）
３  押圧センサ（押圧検出部）
４  表示部
５  記憶部
６、  １０６  制御部
９  起動スイッチ
１０  筐体
１１  ガラス（透明部材）
１４  二次電池
３１  圧電フィルム（圧電素子）
４１  ＬＣＤ
４２  バックライト
５０、５１  アイコン
７０  指（指示体）
７１  手袋
８０  水滴
２００  サーバ
【図１】
0005866526.tif 000002
【図２】
0005866526.tif 000003
【図３】
0005866526.tif 000004
【図４】
0005866526.tif 000005
【図５】
0005866526.tif 000006
【図６】
0005866526.tif 000007
【図７Ａ】
0005866526.tif 000008
【図７Ｂ】
0005866526.tif 000009
【図７Ｃ】
0005866526.tif 000010
【図８】
0005866526.tif 000011
【図９】
0005866526.tif 000012
【図１０】
0005866526.tif 000013
【図１１】
0005866526.tif 000014
【図１２】
0005866526.tif 000015
【図１３】
0005866526.tif 000016
【図１４Ａ】
0005866526.tif 000017
【図１４Ｂ】
0005866526.tif 000018
【図１４Ｃ】
0005866526.tif 000019
【図１４Ｄ】
0005866526.tif 000020
【図１５】
0005866526.tif 000021
【図１６】
0005866526.tif 000022
【図１７】
0005866526.tif 000023
【図１８】
0005866526.tif 000024
【図１９】
0005866526.tif 000025
【図２０】
0005866526.tif 000026
【図２１】
0005866526.tif 000027